(57)【特許請求の範囲】
【請求項１】
実験台等の机本体の天板下方の床面上に設置し、電子機器を載置して使用する電子機器の載置装置であって、前後移動に対して抵抗力が大きな扁平な箱型構造の難可動載置台の上面の一部に、前後移動に対して抵抗力が小さくなるように前記難可動載置台よりも横幅が小さく扁平板状の易可動載置台を前後引き出し可能に設け、前記難可動載置台にメンテナンスの頻度が低い電子機器を直接載置するとともに、前記易可動載置台にメンテナンスの頻度が高い電子機器を載置してなることを特徴とする電子機器の載置装置。
【請求項２】
前記難可動載置台に載置する電子機器が、コンピュータ本体であり、前記易可動載置台に載置する電子機器がプリンターである請求項１記載の電子機器の載置装置。
【請求項３】
前記難可動載置台の下面前部にアジャスターを設けるとともに、後部にキャスターを設け、前記易可動載置台は難可動載置台に対してレール部材で両側部が支持されている請求項１又は２記載の電子機器の載置装置。
【請求項４】
前記易可動載置台と難可動載置台の間に係脱可能なラッチ機構を設けるとともに、前記易可動載置台の前面に把手を設けてなる請求項１〜３何れかに記載の電子機器の載置装置。
【発明の詳細な説明】
【０００１】
【発明の属する技術分野】
本発明は、電子機器の載置装置に係わり、更に詳しくは実験台等の机本体の天板下方の床面上に設置し、電子機器を載置して使用する電子機器の載置装置に関するものである。
【０００２】
【従来の技術】
従来、タワー型等のコンピュータ本体は、床面上に直に設置することがあったが、床面が静電気防止の処理がなされてないカーペットなどのように、コンピュータ本体を床面に直接設置することが好ましくない場合が多い。
【０００３】
また、机本体の天板下方に低い棚板を設けて電子機器を載置することも行われているが、天板下の奥に電子機器が位置するので、配線作業やメンテナンスに手間がかかるといった問題を有していた。
【０００４】
そこで、下面四隅にキャスターを設けた移動台車に、電子機器を載置して、天板下方に押し込むことができるものも提供されているが、頻繁に紙補給や紙詰まりのメンテナンスが必要なプリンター等の電子機器では、移動台車に載置する利点はあるが、一度配線すればメンテナンスが殆ど不要なコンピュータ本体まで移動台車に載置すると、不意に移動台車が移動して、接続していた配線コード類が抜けたり、断線する恐れがあるので好ましくない。
【０００５】
【発明が解決しようとする課題】
本発明が前述の状況に鑑み、解決しようとするところは、メンテナンスの頻度が低い電子機器と、メンテナンスの頻度が高い電子機器を同時に載置して使用することができるとともに、メンテナンスが必要な場合にその作業が容易である電子機器の載置装置を提供する点にある。
【０００６】
【課題を解決するための手段】
本発明は、前述の課題解決のために、実験台等の机本体の天板下方の床面上に設置し、電子機器を載置して使用する電子機器の載置装置であって、前後移動に対して抵抗力が大きな扁平な箱型構造の難可動載置台の上面の一部に、前後移動に対して抵抗力が小さくなるように前記難可動載置台よりも横幅が小さく扁平板状の易可動載置台を前後引き出し可能に設け、前記難可動載置台にメンテナンスの頻度が低い電子機器を直接載置するとともに、前記易可動載置台にメンテナンスの頻度が高い電子機器を載置してなる電子機器の載置装置を構成した。
【０００７】
ここで、前記難可動載置台に載置する電子機器が、コンピュータ本体であり、前記易可動載置台に載置する電子機器がプリンターである場合に、最大の効果を発揮する。
【０００８】
また、前記難可動載置台の下面前部にアジャスターを設けるとともに、後部にキャスターを設け、前記易可動載置台は難可動載置台に対してレール部材で両側部が支持されていることが好ましい。
【０００９】
更に、前記易可動載置台と難可動載置台の間に係脱可能なラッチ機構を設けるとともに、前記易可動載置台の前面に把手を設けてなることがより好ましいのである。
【００１０】
【発明の実施の形態】
次に本発明の実施の形態を添付図面に基づき更に詳細に説明する。図１及び図２は本発明の電子機器の載置装置と組み合わせて使用する実験設備を示し、図３〜図５は本発明に係る電子機器の載置装置の詳細を示し、図中符号１は実験台、２は机本体、３は上棚、４は載置装置をそれぞれ示している。
【００１１】
本発明と組み合わせて使用する実験設備は、机本体２の天板５の後部上に上棚３を一体的に設けた単又は複数の実験台１を、壁面に沿って設置して構成した壁置き実験設備を示し、前記上棚３は、机天板５の上面両側部に後部を余して立設した両柱体ユニット６の中間部に棚板７を架設するとともに、該棚板７の後端を机天板５の後端よりも前方に設定し、壁面と柱体ユニット６間及び壁面と棚板７後端間に配線空間を形成している。また、棚板７前後の柱体ユニット６から突出する長さは、前方の方が長くなるように設定されている。
【００１２】
前記実験台１は、天板５の両側部又は必要に応じて中間部を支持脚８，…で支え、天板５の上面後部に、配線コード類等の通過配設を許容する複数の中空の柱体ユニット６，…が立設固定されており、両側部の柱体ユニット６，６の中間部を相互に強固に連結する中空のビームユニット９が水平に架設され、両側部の前記柱体ユニット６，６の相互間でビームユニット９の上位に棚板７が着脱可能に架設された構造となっている。つまり、前記柱体ユニット６，６と、ビームユニット９及び棚板７で前記上棚３を構成している。そして、前記天板５と棚板７の上面に、実験用機器１０が搭載され、機器１０には配線コード類１１が接続されるほか、流体を通す可撓チューブ類１２が接続されている。
【００１３】
また、前記天板５の上面であって、前記柱体ユニット６の前後近傍にキャップ付きの挿通孔１３，…を設けるとともに、前記棚板７の前縁部にも液密状のゴムブッシュを備えた単又は複数の通孔１４を設けている。更に、前記棚板７の上面周囲には地震等の際に機器から漏出した液体が下方に流れ落ちないように堰き止めるフェンス１５を設けている。また、前記棚板７上に設置した機器１０に接続した可撓チューブ類１２は前記通孔１４を通して保持し、天板５の下方空間に設置した図示しないタンクに接続したり、あるいは他の検査機器に接続する。
【００１４】
また、前記挿通孔１３には、実験用機器１０，…に電源を供給する電源コードや機器間を接続する信号ケーブル等の配線コード類１１を挿通し、天板５の上下に亘る配線に利用する。特に、前方の挿通孔１３には可撓チューブ類１２を挿通し、後方の挿通孔１３には配線コード類１１を挿通して、異種のコードとチューブを前後に振り分けて配設することにより、機器１０のメンテナンスを容易となしている。
【００１５】
そして、本発明の電子機器の載置装置４は、図３〜図５に詳しく示すように、実験台１等の机本体２の天板５下方の床面上に設置し、電子機器を載置して使用する電子機器の載置装置であって、前後移動に対して抵抗力が大きな難可動載置台１６の一部に、前後移動に対して抵抗力が小さくなるように易可動載置台１７を前後引き出し可能に設け、前記難可動載置台１６にメンテナンスの頻度が低い電子機器Ａを直接載置するとともに、前記易可動載置台にメンテナンスの頻度が高い電子機器Ｂを載置してなるものである。例えば、前記難可動載置台１６に載置する電子機器Ａが、コンピュータ本体であり、前記易可動載置台１７に載置する電子機器Ｂがプリンターである。
【００１６】
更に詳しくは、前記難可動載置台１６の下面前部にアジャスター１８，１８を設けるとともに、後部にキャスター１９，１９を設け、前記易可動載置台１７は難可動載置台１６に対してレール部材２０，２０で両側部が前後引き出し可能に支持されている。尚、本発明では、前記レール部材２０の構造限定は不要であり、単にガイド溝内をスライダーが摺動するものも本発明におけるレール部材２０の範疇である。
【００１７】
前記難可動載置台１６は、ベース板２１の周囲を下方へ折曲して側面板２２を形成した下方開放の扁平な箱型構造を有し、前記ベース板２１の下面四隅に前記アジャスター１８とキャスター１９の取付台２３，…を固着し、それぞれに前部の取付台２３，２３にはアジャスター１８，１８を取付け、後部の取付台２３，２３にはキャスター１９，１９を取付けている。
【００１８】
前記易可動載置台１７は、前記難可動載置台１６に固定するケース部材２４と、該ケース部材２４内で前後に移動可能に配した中空扁平板状の可動部材２５とから構成されている。前記ケース部材２４は、底面板２６の両側にガイド部２７，２７を立ち上げ形成し、両ガイド部２７，２７の内面部に前記レール部材２０，２０を設けている。そして、前記可動部材２５をケース部材２４の両ガイド部２７，２７間に配して側面部を前記レール部材２０，２０に関係づけて取付け、もって前後引き出し可能となしている。
【００１９】
前記可動部材２５の前面板２８には、把手２９を取付けるとともに、ラッチ部材３０の先端を縦長スリット３１から導出し、該ラッチ部材３０は可動部材２５の内部で上下傾動可能に軸支部３２で支持し、該ラッチ部材３０の後端部に設けた下向き爪３３を前記ケース部材２４の底面板２６に突設した前方係止片３４に係脱可能となしている。また、前方係止片３４よりも後方に突設した後方係止片３５に、可動部材２５を最大に引き出した際に該可動部材２５の後端部３６を当止できるようになっている。ここで、前記前方係止片３４と後方係止片３５は、板材を断面倒コ字状に折曲形成したストッパー部材３７の一部で構成し、前方係止片３４と後方係止片３５とをそれぞれ前記ベース板２１とケース部材２４の底面板２６とに貫通形成した共通のスリット孔３８，３８に下方より挿通し、前記ベース板２１に固着して設けている。
【００２０】
また、前記ベース板２１と可動部材２５には前後部に平行なスリット溝３９，３９をそれぞれ形成し、この上部に載置する電子機器をベルトで縛るための係止金具（図示せず）を繋留するために使用する。
【００２１】
このように、前記難可動載置台１６は、前部のアジャスター１８，１８と後部のキャスター１９，１９とで床面に設置されるので、前後の移動に対しては抵抗力が大きく、一方、前記易可動載置台１７の可動部材２５は両側部をレール部材２０，２０で支持されているので、前後の移動に対しては抵抗力が小さい。従って、前記把手２９を持って手前に引くと可動部材２５のみが引き出される。ここで、可動部材２５を最も押し込んだ際には前記ラッチ部材３０の下向き爪３３が前方係止片３４に係止するので、把手２９を持ってやや持ち上げながら手前にひくと、難可動載置台１６を伴って前方へ移動する。
【００２２】
ここで、前記難可動載置台１６のベース板２１に、メンテナンスの頻度が低いコンピュータ本体等の電子機器Ａを載置し、前記可動部材２５には、メンテナンスの頻度が高いプリンター等の電子機器Ｂを載置して使用するのである。そして、前記載置装置４は、電子機器を載置してまま、実験台１の天板６の下方空間に押し込んで設置するのである。尚、載置装置４に搭載した電子機器と実験台１に搭載した実験用機器１０との接続は、前記後方の挿通孔１３を利用して行うのである。
【００２３】
また、前記可動部材２５に載置する電子機器Ｂの重量が、電子機器Ａとのバランスが取れない程度に重い場合には、図６に示すように前記可動部材２５の前端に転倒防止用の補助キャスター４０を設けることも好ましい。尚、本実施形態では、難可動載置台１６の上面に、易可動載置台１７を突出状態で設けた構造のものを例示したが、難可動載置台１６と易可動載置台１７の上面を面一にした構造も採用できる。
【００２４】
【発明の効果】
以上にしてなる請求項１に係る発明の電子機器の載置装置は、実験台等の机本体の天板下方の床面上に設置し、電子機器を載置して使用する電子機器の載置装置であって、前後移動に対して抵抗力が大きな扁平な箱型構造の難可動載置台の上面の一部に、前後移動に対して抵抗力が小さくなるように前記難可動載置台よりも横幅が小さく扁平板状の易可動載置台を前後引き出し可能に設け、前記難可動載置台にメンテナンスの頻度が低い電子機器を直接載置するとともに、前記易可動載置台にメンテナンスの頻度が高い電子機器を載置してなるので、メンテナンスの頻度が低い電子機器と、メンテナンスの頻度が高い電子機器を同時に載置して使用することができるとともに、メンテナンスが必要な場合にその作業が容易である。
【００２５】
請求項２によれば、コンピュータ本体を動かすことなく、プリンターの紙補給や紙詰まりを取り除くなどのメンテナンスが容易であり、不意にコンピュータ本体に接続している配線コード類が抜けたり、切断したりする恐れがないのである。
【００２６】
請求項３によれば、前記難可動載置台が移動し難く、また移動させようと思えば移動させることができ、また易可動載置台の移動は簡単に軽く行うことができる。
【００２７】
請求項４によれば、難可動載置台と易可動載置台の選択的な移動を実現できるのである。また、地震等によって不意に易可動載置台が飛び出して、載置した電子機器が転倒したり、他の物に衝突することも防止できる。
【図面の簡単な説明】
【図１】本発明の電子機器の載置装置と組み合わせて使用する実験設備を示す部分斜視図である。
【図２】同じく部分側面図である。
【図３】本発明の載置装置の全体斜視図である。
【図４】同じく内部構造を示す部分横断面図である。
【図５】同じく内部構造を示す縦断面図である。
【図６】載置装置の他の実施形態を示す斜視図である。
【符号の説明】
Ａ、Ｂ  電子機器
１  実験台              ２  机本体
３  上棚                ４  載置装置
５  天板                ６  柱体ユニット
７  棚板                ８  支持脚
９  ビームユニット      １０  実験用機器
１１  配線コード類      １２  可撓チューブ類
１３  挿通孔            １４  通孔
１５  フェンス          １６  難可動載置台
１７  易可動載置台      １８  アジャスター
１９  キャスター        ２０  レール部材
２１  ベース板          ２２  側面板
２３  取付台            ２４  ケース部材
２５  可動部材          ２６  底面板
２７  ガイド部          ２８  前面板
２９  把手              ３０  ラッチ部材
３１  縦長スリット      ３２  軸支部
３３  下向き爪          ３４  前方係止片
３５  後方係止片        ３６  後端部
３７  ストッパー部材    ３８  スリット孔
３９  スリット溝        ４０  補助キャスター
【図１】
0003985429.tif 000002
【図２】
0003985429.tif 000003
【図３】
0003985429.tif 000004
【図４】
0003985429.tif 000005
【図５】
0003985429.tif 000006
【図６】
0003985429.tif 000007